(57)【特許請求の範囲】
【請求項１】
可燃性ガスを含む検査対象ガスと、希土類元素を含有する触媒とを接触させることにより前記可燃性ガスの酸化反応を生じさせ、当該酸化反応によって希土類元素から発生する発光スペクトルを計測する工程を備え、
前記触媒は、第１の希土類元素及び電気絶縁性を有する第１の触媒担体を含む第１の触媒成分と、第２の希土類元素及び電気絶縁性を有する第２の触媒担体を含む第２の触媒成分とを少なくとも含有することを特徴とするガス検出方法。
【請求項２】
前記第１及び第２の触媒成分は、前記可燃性ガスの酸化反応を促進する金属元素を更に含有することを特徴とする、請求項１に記載のガス検出方法。
【請求項３】
第１の希土類元素及び電気絶縁性を有する第１の触媒担体を含む第１の触媒成分と、第２の希土類元素及び電気絶縁性を有する第２の触媒担体を含む第２の触媒成分とを少なくとも含有する触媒層と、
前記触媒層を加熱する加熱手段と、
可燃性ガスを含む検査対象ガスを前記触媒層に供給するガス供給手段と、
前記触媒層における前記可燃性ガスの酸化反応によって前記第１及び第２の希土類元素から発生する発光スペクトルを計測するスペクトル計測手段と、
を備えることを特徴とするガス検出装置。
【発明の詳細な説明】
【技術分野】
【０００１】
本発明は、検査対象ガスに含まれる可燃性ガスを検出するガス検出方法及びガス検出装置に関する。
【背景技術】
【０００２】
検査対象のガスに含まれるガス種の識別及び定量を目的とするガス検出器として、以下のものが知られている。（１）ガスの吸着により電気伝導度が変化する半導体素子を備えた検出器、（２）ガスの吸収により質量が変化するガス吸収膜を有する水晶振動子を備えた検出器、（３）ガスの吸収により弾性波の伝播特性が変化するガス吸収膜を有する弾性表面波素子を備えた検出器、（４）ガスの触媒酸化反応に伴って化学発光が生じる触媒化学発光素子を備えた検出器などである。
【０００３】
上記のガス検出器のうち、（４）触媒化学発光素子を備えた検出器は、ガス濃度に対するセンサ出力の直線性及び再現性、並びに、応答速度のすべてを高水準に達成し得るという特長を有している。
【０００４】
触媒化学発光素子を備えた検出器の一例として、下記特許文献１に記載のガス検出装置が知られている。特許文献１に記載のガス検出装置は、互いに異なる種類の触媒固体からなる４個の発光素子（センサＡ〜Ｄ）が暗箱内に設置されている（特許文献１の段落[００２５]及び図１を参照）。また、特許文献１には、当該ガス検出装置によるガス検出方法として、一つのセンサのみを昇温して当該センサにおいて触媒酸化反応を生じさせ、触媒固体から放射されるルミネッセンスを光検出器で計測するという一連の工程をセンサＡ〜Ｄについて順次実施することで、空気に含まれるベンゼンなどの可燃性ガスを検出する手法が記載されている（特許文献１の段落[００２６]及び図２，３を参照）。
【特許文献１】特許第３７４２９７５号公報
【発明の開示】
【発明が解決しようとする課題】
【０００５】
しかしながら、特許文献１に記載の上記ガス検出装置は、ガス検出についての性能は十分に優れたものであるといえるが、ガスの検出に際して、各センサを順次昇温して発光を測定する必要があるため、ガス検出の作業効率の点で改善の余地があった。これに加え、暗箱内に複数のセンサを配置する必要があるため、装置全体が大型となり、構成も複雑となるなどの点で改善の余地があった。
【０００６】
本発明は、このような実情に鑑みてなされたものであり、ガスの検出を十分効率的に実施できるガス検出方法及びガス検出装置を提供することを目的とする。また、十分な小型化を実現できるガス検出装置を提供することを目的とする。
【課題を解決するための手段】
【０００７】
本発明者らは、従来のガス検出器のうち、上述の（４）触媒化学発光素子を備えた検出器に着目し、以下のような装置を開発すべく鋭意研究を重ねた。すなわち、触媒化学発光素子（以下、単に「発光素子」という。）を備えた検出器の上記特長を活かしつつ、ガス検出の作業効率の向上及び装置の小型化を実現すべく、複数の発光素子を用いることなく、１つの発光素子でガス種の識別及び定量ができるガス検出装置の開発に取り組んだ。
【０００８】
触媒化学発光は、下記の発光機構（ｉ）及び発光機構（ｉｉ）によるものとされる。発光機構（ｉ）は、触媒酸化反応の過程で生成される励起化学種による緩和発光に基づくものである。発光機構（ｉｉ）は、触媒表面に吸着された可燃性ガスの分子及び酸素分子からそれぞれ生じた電子及びホールが触媒に含まれる活性体（例えば、希土類金属）を介して再結合する際、その活性体固有の光が発生するというものである。これらの発光機構によってそれぞれ発せられる二種類の発光スペクトルの相異に基づき、１つの発光素子でガス種の識別を行う試みがなされている。
【０００９】
しかし、発光機構（ｉ）に寄与するガス種は限られるため、二種類の発光スペクトルの相異だけでは識別できるガスの種類が限られるという問題があった。また、発光機構（ｉ）の発光効率は比較的低いものであるため、検出感度を十分に高くすることができなかった。
【００１０】
本発明者らは、各種の触媒を用いてガスの検出試験を種々の条件下で行ったところ、触媒酸化反応が拡散律速となる触媒温度及びガス流速の条件において、発光機構（ｉｉ）に基づいて生じる発光は、触媒に含まれる触媒担体の種類や担持された金属の種類に影響を受け、複数のガス種に対する発光の強度比が変化することを見出した。また、粉末状の触媒にあっては、触媒粒子の局所から生じる発光は、触媒粒子の焼結体全体から生じる発光と本質的に同一であると認められ、このことをカソードルミネッセンス走査電子顕微鏡（ＣＬ−ＳＥＭ）による観察や顕微ルミネッセンス観察によって本発明者らは確認した。
【００１１】
上記の知見に基づいて更に検討を重ねた結果、本発明者らは、１つの発光素子でガス種の識別を行うには、触媒担体と、これに必要に応じて担持される金属種（いわゆる燃焼触媒）とを含む第１の触媒粉末を調製し、更に、この第１の触媒粉末と異なる触媒担体及び／又は金属種を用いて第２の触媒粉末を調製し、第１及び第２の触媒粉末を混合して得られる触媒を用いることが有用であることを見出した。すなわち、複数の触媒粉末を含有する触媒は、それぞれの触媒粉末に由来する各触媒成分がそれぞれ独立したセンサとして機能し得ると考えられる。また、各触媒成分から発せられる微少な光を区別するために、各触媒成分に互いに異なる希土類元素をドープすることで、１つの発光素子から十分に計測可能な発光スペクトルを複数発生させ、これらの発光スペクトルに基づいてガス種の同定及び定量を行うことができるとの結論に達し、以下の本発明を完成させた。
【００１２】
本発明に係るガス検出方法は、可燃性ガスを含む検査対象ガスと、希土類元素を含有する触媒とを接触させることにより可燃性ガスの酸化反応を生じさせ、当該酸化反応によって希土類元素から発生する発光スペクトルを計測する工程を備え、上記触媒は、第１の希土類元素及び電気絶縁性を有する第１の触媒担体を含む第１の触媒成分と、第２の希土類元素及び電気絶縁性を有する第２の触媒担体を含む第２の触媒成分とを少なくとも含有することを特徴とする。
【００１３】
本発明に係るガス検出方法によれば、触媒に含まれる第１及び第２の触媒成分がそれぞれ独立したセンサとして機能するため、複数の発光素子を用いることなく、当該触媒を有する１つの発光素子でガス種の識別及び定量を行うことができる。すなわち、１つの発光素子から発せられる発光スペクトルを計測し、複数の希土類元素からそれぞれ生じた光のピーク波長及び発光強度からガス種の識別及び定量が可能となる。
【００１４】
したがって、本発明によれば、複数の発光素子から発せられる発光スペクトルを順次計測するガス検出方法と比較し、ガス検出を十分効率的に実施できる。また、本発明に係るガス検出方法は、ガス検出装置の内部の空間に１つの発光素子を設ければ実施できるため、ガス検出装置の構成を簡素化でき、かかる装置を十分に小型化できる。
【００１５】
本発明においては、第１及び第２の触媒成分が可燃性ガスの酸化反応を促進する金属元素を更に含有することが好ましい。可燃性ガスの酸化反応を燃焼触媒で促進することにより、発光素子の応答速度が一層向上する。
【００１６】
本発明に係るガス検出装置は、第１の希土類元素及び電気絶縁性を有する第１の触媒担体を含む第１の触媒成分と、第２の希土類元素及び電気絶縁性を有する第２の触媒担体を含む第２の触媒成分とを少なくとも含有する触媒層と、触媒層を加熱する加熱手段と、触媒層に可燃性ガスを含む検査対象ガスを供給するガス供給手段と、触媒層における可燃性ガスの酸化反応によって第１及び第２の希土類元素から発生する発光スペクトルを計測するスペクトル計測手段とを備えることを特徴とする。
【００１７】
本発明に係るガス検出装置において、触媒層に含まれる第１及び第２の触媒成分がそれぞれ独立したセンサとして機能する。そのため、例えば、触媒層と加熱手段とによって発光素子（触媒化学発光素子）を構成することで、複数の発光素子を用いることなく、１つの発光素子でガス種の識別及び定量を行うことができる。
【００１８】
したがって、本発明によれば、複数の発光素子から発せられる発光スペクトルを順次計測するガス検出装置と比較し、ガス検出を十分効率的に実施できる。また、本発明に係るガス検出装置は、１つの発光素子で上述のガス検出方法を実施できるため、その構成を簡素なものとすることができ、小型化が図られる。更に、使用する発光素子が１つであれば、発光スペクトルを計測するための光検出器も１つでよいため、低コストで装置を製造できるという利点もある。
【発明の効果】
【００１９】
本発明によれば、ガスの検出を十分効率的に実施できるとともに、ガス検出装置の十分な小型が実現する。
【発明を実施するための最良の形態】
【００２０】
以下、図面を参照しつつ本発明の好適な実施形態について詳細に説明する。
【００２１】
＜ガス検出装置＞
図１に示すガス検出装置１０は、検査対象ガスに含まれる複数の種類の可燃性ガスを検出するためのものであり、発光素子収容セル１と、ガス分離ユニット２と、１つの発光素子３と、光学フィルタユニット６と、光検出器７と、解析ユニット８とを備える。検査対象ガスは、ガス分離カラムなどを備えるガス分離ユニット２を介して発光素子収容セル１内に導入される。発光素子収容セル１内には発光素子３が収容されており、発光素子３から発せられる光が光学フィルタユニット６を経て光検出器７において計測される。光検出器７からの電気信号が解析ユニット８へと送られ、そこでガス種の同定及びその濃度などについての解析がなされる。本実施形態においては、光学フィルタユニット６、光検出器７及び解析ユニット８によってスペクトル計測手段が構成される。
【００２２】
発光素子収容セル１は、全体が耐熱性を有する材質で形成されており、円筒状の側壁部１ａ、上部１ｂ及び底部１ｃによって内部に空間５が形成される。図１に示すように、上部１ｂに設けられた貫通孔１ｄに光検出器７が装着されると、空間５内には外部から光が入らないようになっている。側壁部１ａには、検査対象ガスを空間５内に供給するガス導入路１ｅが設けられており、これと対向する位置にガス排出路１ｆが設けられている。
【００２３】
ガス分離ユニット（ガス供給手段）２は、発光素子収容セル１のガス導入路１ｅの上流側に配設されており、検査対象ガスに含まれる複数の可燃性ガスを分離した状態で発光素子収容セル１内に導入するためのものである。ガス分離ユニット２は、ガス分離カラム、キャリアガス用流量コントローラ及び検査対象ガスと空気（酸素）とを混合する装置などによって構成することができる。
【００２４】
発光素子３は、検査対象ガスに含まれるガス種の同定及び濃度の測定を行うためのものである。この発光素子３は、複数の触媒成分からなる触媒層３ａと、この触媒層３ａを加熱するためのヒータ（加熱手段）３ｂとを備える。ヒータ３ｂとしては、例えば、基板上に設けられたプリント配線などを採用できる。ガス検出を行う際、ヒータ３ｂによって触媒層３ａの温度を一定に保ったり、所定の条件で昇温したりできるようになっている。
【００２５】
触媒層３ａは、第１の希土類元素と電気絶縁性を有する第１の触媒担体とを含む第１の触媒成分、及び、第２の希土類元素と電気絶縁性を有する第２の触媒担体とを含む第２の触媒成分を少なくとも含有する。すなわち、触媒層３ａは、希土類元素と電気絶縁性を有する触媒担体とを含む第１〜第ｎの触媒成分を含有する（ｎは２以上の整数を示す）。触媒を構成する触媒成分の数を多くすることにより、細かいスペクトル分布を測定でき、多種類のガスの同定が可能になる。
【００２６】
ここで、複数の触媒成分のうち、任意に選択した一の触媒成分を触媒成分Ｉと表記し、残りの触媒成分から任意に選択した一の触媒成分を触媒成分IIと表記する。これらの触媒成分に含まれる希土類元素及び触媒担体を希土類元素Ｉａ，IIａ及び触媒担体Ｉｂ，IIｂとそれぞれ表記する。
【００２７】
触媒層３ａが触媒成分Ｉ，IIを含有する場合、これらの触媒成分からの発光によってガス種を効率的に識別する観点から、希土類元素Ｉａと希土類元素IIａとは互いに異なる元素であり且つ触媒担体Ｉｂと触媒担体IIｂとは互いに異なる物質であることが好ましい。なお、場合によっては、触媒担体Ｉｂと触媒担体IIｂとは同一であってもよい。
【００２８】
触媒層３ａを形成する触媒は、触媒担体をなす物質に希土類元素をドープして得られた触媒粉末をそれぞれ調製し、これらを混合することによって得ることができる。この混合粉をスラリー状にし、ヒータをなすプリント配線板上などに塗布して触媒層３ａを形成してもよく、あるいは、上記混合粉を所定の形状に焼結して触媒層３ａを形成してもよい。
【００２９】
本実施形態において使用可能な希土類元素は、Ｌａ（ランタン）、Ｃｅ（セリウム）、Ｎｄ（ネオジム）、Ｐｒ（プラセオジム）、Ｓｍ（サマリウム）、Ｅｕ（ユウロピウム）、Ｇｄ（ガドリニウム）、Ｔｂ（テルビウム）、Ｄｙ（ジスプロシウム）、Ｈｏ（ホルミニウム）、Ｅｒ（エルビウム）、Ｔｍ（ツリウム）、Ｙｂ（イッテルビウム）、Ｌｕ（ルテチウム）、Ｓｃ（スカンジウム）及びＹ（イットリウム）である。なお、Ｐｍ（プロメチウム）も希土類元素に分類されるが、Ｐｍは放射性元素であり、実際上自然界に存在しないものである。本実施形態においては、一の触媒成分に上記希土類元素を単独で含有せしめてもよく、あるいは、２種以上を含有せしめてもよい。
【００３０】
触媒担体として使用可能な物質としては、Ａｌ２Ｏ３（酸化アルミニウム）、ＣａＣＯ３（炭酸カルシウム）、ＺｒＯ２（酸化ジルコニウム）、ＢａＳＯ４（硫酸バリウム）、Ｓｉ３Ｎ４（窒化ケイ素）、ＳｉＣ（炭化ケイ素）、ＢＮ（窒化ホウ素）、ＡｌＮ（窒化アルミニウム）及びＢ４Ｃ（炭化ホウ素）などが挙げられる。一の触媒成分において上記物質を触媒担体として単独で使用してもよく、あるいは、２種以上を混合して使用してもよい。
【００３１】
触媒担体に対する希土類元素のドープ量は、発光素子３の用途又は要求性能等に応じて適宜設定すればよい。なお、３価の希土類元素を２価の陽イオンを含む触媒担体（例えば、ＢａＳＯ４、ＣａＣＯ３）にドープする場合、電荷補償のために希土類元素と同量の１価の陽イオン（例えば、Ｎａ）を触媒担体にドープすることが好ましい。
【００３２】
触媒に含まれる各触媒成分は、検査対象ガスに含まれる可燃性ガスの酸化反応を促進する金属元素（燃焼触媒）を更に含有することが好ましい。可燃性ガスの酸化反応が促進されることにより、発光素子３の応答速度が一層向上するという効果が奏される。ここで、触媒成分Ｉが金属元素Ｉｃを含有し、触媒成分IIが金属元素IIｃを含有するものであるとした場合、金属元素Ｉｃ及び金属元素IIｃは必ずしも互いに異なる元素である必要はなく、両者は同一であってもよい。
【００３３】
本実施形態において燃焼触媒として使用可能な金属種は、Ｐｔ（白金）、Ｐｄ（パラジウム）、Ｒｈ（ロジウム）、Ｉｒ（イリジウム）、Ａｕ（金）などの貴金属、Ｓｎ（スズ）、Ｆｅ（鉄）などである。触媒担体に対する上記金属元素の担持量は、発光素子３の用途又は要求性能等に応じて適宜設定すればよい。
【００３４】
光学フィルタユニット６は、検出すべきピーク波長にそれぞれ相当する複数のバンドパスフィルタ（図示せず）を有しており、これらのバンドパルフィルタを適宜切り替えることで、１つの光検出器７で複数の希土類元素からそれぞれ発せられる固有の発光スペクトルを分離できる。
【００３５】
光検出器７は、発光素子３から発せられる光を検出するためのものである。光検出器７としては、光電子増倍管などを採用できる。光検出器７に光学フィルタユニット６を通じて光が入射すると、光検出器７から電気信号が出力される。光検出器７からの電気信号は、解析ユニット８に送られ、ガス種の同定及びその他の解析（ガス濃度等）が行われる。
【００３６】
＜ガス検出方法＞
次に、ガス検出装置１０を用いたガス検出方法について説明する。本実施形態に係るガス検出方法は、可燃性ガスを含む検査対象ガスと、発光素子３の触媒層３ａとを接触させることにより可燃性ガスの触媒酸化反応を生じさせ、この触媒酸化反応によって希土類元素から発生する発光スペクトルを光検出器７で計測する工程を備える。
【００３７】
希土類元素を含有する触媒層３ａに可燃性ガス及び酸素が供給されると、これらの分子が触媒層３ａの表面に吸着する。すると、吸着した可燃性ガスの分子及び酸素分子からそれぞれ生じた電子及びホールは触媒層３ａ内を移動し、これらが希土類金属を介して再結合する際、希土類元素固有の電子準位状態を反映した発光スペクトルが生じる（発光機構（ｉｉ））。この発光機構に基づく発光スペクトルの強度は、触媒反応によって生じた反応生成物の量に比例し、他方、この反応生成物の生成される種類及び量は、検知対象ガスの種類と濃度に依存する。したがって、希土類元素固有の発光スペクトルの強度を計測すれば、検査対象ガスに含まれる可燃性ガスの濃度を知ることができる。
【００３８】
上記の通り、本実施形態に係るガス検出方法は、可燃性ガスの酸化反応を伴うものであるため、ガス種を同定すべきガスが酸素を含有しない場合、当該ガスと酸素含有ガス（典型的には空気）とを混合して、予め検査対象ガスを調製する。
【００３９】
ガス検出装置１０を用いて検査対象ガスに含まれる複数の可燃性ガスを検出するには、まず、ヒータ３ｂによって触媒層３ａを約５００℃にまで昇温する。ただし、この温度は検査対象ガスによって変化させてもよい。その後、検査対象ガスをガス分離ユニット２に導入し、ガス分離カラムによって複数の可燃性ガスを分離する。ガス分離ユニット２からキャリアガス（空気）とともに排出される複数の可燃性ガスをガス導入路１ｅを通じて空間５へと順次導入する。すると、発光素子３の触媒層３ａにおいて可燃性ガスの酸化反応が順次生じ、可燃性ガスごとに互いに異なる発光スペクトルを有する発光が生じる。
【００４０】
触媒層３ａは、複数の触媒成分（希土類元素）を含有しているため、そこから放射される発光スペクトルを光検出器７で計測することで、可燃性ガスごとに異なる発光スペクトルのデータを取得できる。種々のガス種に対して予め計測された発光スペクトルのデータと比較することで、検査対象ガスに含まれる可燃性ガスの種類を識別できる。また、光検出器７によって計測された発光強度に基づいて可燃性ガスの濃度を求めることができる。
【００４１】
以上の通り、ガス検出装置１０の発光素子３は、互いに異なるガス感度特性を有する複数の触媒成分からなる触媒層３ａを有する。触媒層３ａを構成する触媒成分の種類及び数を適宜選択することにより、特定のガスに対して所望のスペクトルを生じる触媒化学センサを作製することができる。また、混合する各種触媒成分の割合を調整することにより、触媒発光ピークの強度比を自由に設計できるので、特定の可燃性ガス成分に対する感度の高低を自由に選択することもできる。しかも、ガス種に応じて異なるスペクトルが生じるように、触媒成分を適宜選択するという比較的容易な手法によって、発光素子３を作製することが可能である。
【００４２】
また、ガス検出装置１０は、ガス検出に要する発光素子及び光検出器がそれぞれ１つであるため、構造が簡単であり十分な小型化を達成できるとともに、低コストで製造できる。また、メンテナンスも比較的容易という利点もある。
【００４３】
上述した通り、触媒化学発光素子は、元来、ガス濃度に対するセンサ出力の直線性及び再現性、並びに、応答速度のすべてを高水準に達成し得るものであり、ガス検出装置１０もこのような特長を具備するものである。したがって、ガス検出装置１０をガスクロマトグラフの検出器として利用することにより、ＧＣ／ＭＳと同様のガスの分離及び定量分析が可能となる。また、ガス検出装置１０は、多種の可燃性ガスを識別できるため、においセンサなどにも適用できる。
【００４４】
以上、本発明の好適な実施形態について説明したが、本発明は上記実施形態に限定されるものではない。例えば、上記実施形態では、触媒層３ａとヒータ３ｂとを備える発光素子３を例示したが、発光素子収容セル１内の空間５内の温度を十分に調整可能であれば、触媒層３ａを加熱するためのヒータ３ｂは必ずしも設けなくてもよい。
【００４５】
また、上記実施形態においては、検査対象ガスに複数の可燃性ガスが含まれる場合を例示したが、単独の可燃性ガスの種類を識別するためにガス検出装置１０を使用してもよい。この場合、ガス分離ユニット２を使用せず、検査対象ガスを直接発光素子収容セル１内へと導入すればよい。
【００４６】
更に、上記実施形態においては、内部に比較的大きな空間５が設けられた発光素子収容セル１を例示したが、発光素子収容セルの形状はこれに限定されず、例えば、図２，３に示すような形状であってもよい。図２は、発光素子収容セルの他の形態を示す斜視図である。図３は、図２に示す発光素子収容セル２１のIII−III線断面図であり、発光素子収容セル２１に光学フィルタユニット６及び光検出器７が装着された状態を示したものである。
【００４７】
図２に示す発光素子収容セル２１は、触媒層３ａの表面と平行に形成され且つ触媒層３ａが露出している検査対象ガス用の流路２５を有する。このような流路２５を有する発光素子収容セル２１によれば、流路２５内の検査対象ガスの流れを層流とすることができ、これにより流路２５内におけるガスの滞留を十分に抑制できる。そのため、発光素子収容セル２１によれば、応答速度をより一層向上させることができる。例えば、検査対象ガスに含まれる複数の可燃性ガスをガス分離ユニット２で分離した後、分離された可燃性ガスを発光素子３へと順次供給するような場合であっても、流路２５内において複数の可燃性ガス成分が混在することを十分に抑制でき、高い精度で検査対象ガスに含まれる各可燃性ガスの同定及び濃度の解析ができる。
【００４８】
また、発光素子収容セル２１の流路２５は、図３に示すように、その下面から上面までの高さを１．５ｍｍ程度と極めて扁平なものとすることができるため、発光素子３と光検出器７との距離を十分に近づけることができる。その結果、より一層細かいスペクトル分布を測定でき、更に多種類のガスの同定が可能になる。
【００４９】
また、発光素子３のヒータ３ｂと光学フィルタユニット６との距離も十分に近づけることができ、ヒータ３ｂからの熱によって光学フィルタユニット６等の表面を十分に加熱することができる。その結果、光学フィルタユニット６等への可燃性ガスや酸化反応の生成物の付着が抑制され、ガス検出についての高い性能を十分に維持できる。
【００５０】
なお、図３に示すように、ヒータ３ｂの熱によって加熱される領域に、５００℃以上の耐熱性を有する材質からなる保護層２６を設けることが好ましい。また、計測すべき波長帯の光を透過し且つ５００℃以上の耐熱性を有するガラス板２８を触媒層３ａと光学フィルタユニット６との間に設けることが好ましい。このガラス板２８は、流路２５側の面が流路２５の内壁面の一部をなすものであり、流路２５の他の内壁面と面一となるように配置することが好ましい。このことにより、流路２５内のガスの流れが乱れることを十分に防止できる。上記の保護層２６やガラス板２８として使用可能な材質は、石英ガラス、パイレックス（登録商標）ガラスなどである。これらの材質は、高い耐熱性に加え、低熱伝導度であるとともに小熱容量であり且つ熱衝撃に強い点で好適である。
【実施例】
【００５１】
以下、実施例により本発明を説明するが、本発明はこれら実施例に限定されるものではない。
【００５２】
以下の粉末触媒Ａ〜Ｃを準備し、それぞれ６ｍｇずつ秤量してこれらを混合することによって触媒化学発光素子用の触媒を得た。
粉末触媒Ａ：Ｔｂ及びＮａをドープした硫酸バリウム（Ｔｂドープ量：１モル％、Ｎａドープ量：１モル％）。
粉末触媒Ｂ：Ｄｙ及びＮａをドープした炭酸カルシウム（Ｄｙドープ量：１モル％、Ｎａドープ量：１モル％）、
粉末触媒Ｃ：Ｅｕをドープしたγ−アルミナ（Ｅｕドープ量：１モル％）。
【００５３】
図１に示すガス検出装置と同様の構成の装置内に上記触媒からなる触媒層を形成した後、触媒層の温度を４５０℃に調整した。キャリアガスとして空気を使用し、ガス分離ユニットを通じて検査対象ガスに含まれる複数の可燃性ガスを発光素子収容セル内に順次導入できるようにした。
【００５４】
本実施例では、検査対象ガスとして、空気にジアセチル及び酪酸エチルエステルの蒸気を添加してものを準備した。
【００５５】
図４は、本実施例において計測された触媒発光（ＣＴＬ）のスペクトルである。図４に示すように、波長５４５ｎｍ、５７６ｎｍ及び６１５ｎｍの位置にそれぞれ表れるピークは、触媒中に含まれるＴｂ、Ｄｙ及びＥｕに固有の発光スペクトルであり、それぞれの触媒成分からの触媒発光を反映している。これらのピーク発光強度の比は、ジアセチルが触媒と接している時間帯は１４２：１１０：１６３であり、酪酸エチルエステルが触媒と接している時間帯は５０：８０：２１０であった。この比率は、ガス濃度が変化しても同一であることから、計測された発光スペクトルからこれらのピーク発光強度の比を求めることにより、予め計測されたピーク強度比のデータを参照して、ガス種を同定することができる。
【図面の簡単な説明】
【００５６】
【図１】本発明に係るガス検出装置の好適な実施形態を示す模式断面図である。
【図２】発光素子収容セルの他の好適な形態を示す斜視図である。
【図３】図２に示す発光素子収容セルに光検出器を装着した状態を示す断面図である。
【図４】実施例１における触媒発光スペクトルを示すグラフである。
【符号の説明】
【００５７】
１，２１…発光素子収容セル、１ｅ…ガス導入路（ガス供給手段）、１ｆ…ガス排出路、２…ガス分離ユニット（ガス供給手段）、３…発光素子（触媒化学発光素子）、３ａ…触媒層、３ｂ…ヒータ（加熱手段）、６…光学フィルタユニット、７…光検出器、８…解析ユニット、１０…ガス検出装置、２５…流路。
【図１】
0005126743.tif 000002
【図２】
0005126743.tif 000003
【図３】
0005126743.tif 000004
【図４】
0005126743.tif 000005